(57)【特許請求の範囲】
【請求項１】
起立姿勢で配置した支柱に支持される被支持体のレベル調整を行うためのアジャスタ機構であって、
前記支柱と被支持体との間に介在し、前記支柱の高さ位置を一定に保持した状態で、当該支柱に対して上下動することにより前記被支持体のレベル調整を行うものであり、
被支持体が、ネジ等の取付具を利用して前記支柱に取り付けられるものであり、この取付具を挿入するために前記被支持体側に設けた挿入孔が、該被支持体の上下動を許容し得る開口巾を有することを特徴とするアジャスタ機構。
【請求項２】
支柱の一部に設けたネジ孔と、このネジ孔に上下方向に螺進退可能に取り付けたネジとを具備してなり、このネジの頭部に前記被支持体を支持させていることを特徴とする請求項１記載のアジャスタ機構。
【請求項３】
ネジ孔が、支柱に対して着脱可能に取り付けたベース体に設けてあることを特徴とする請求項２記載のアジャスタ機構。
【請求項４】
被支持体が、前記支柱の上端部側に支持されていることを特徴とする請求項１、２又は３記載のアジャスタ機構。
【請求項５】
被支持体が、複数の支柱間に略水平方向に沿って配置される横架材と該支柱とを連結するための連結部材であることを特徴とする請求項１、２、３又は４記載のアジャスタ機構。
【請求項６】
被支持体が、複数の支柱間に略水平方向に沿って配置される横架材であることを特徴とする請求項１、２、３又は４記載のアジャスタ機構。
【発明の詳細な説明】
【０００１】
【発明の属する技術分野】
本発明は、支柱に横架材や天板等の被支持体を支持させる場合に好適に利用されるアジャスタ機構に関するものである。
【０００２】
【従来の技術】
近時、オフィスでは、床面に支持させた複数の支柱の上端部を横架材により連結して構造体を構成した上、これら支柱や横架材にパネルや収納棚等のオプション部材を取り付けることにより、オフィス内に特定の作業空間を形成する、いわゆる作業空間モジュールと呼ばれるものがある。この作業空間モジュールは、グループ或いは個人の作業の場等として利用され、フレキシブルオフィスの新しい形として注目されている。
【０００３】
ところで、前記構造体は一般的に、支柱の下端を支持する複数箇所にアジャスタ機構を設け、これらアジャスタ機構のレベル調整によって、床面の不陸等に対応できるようにしているのが通例である。
【０００４】
このアジャスタ機構は、具体的には、床面に接地する接地体と、この接地体から上向きに突出したネジ軸と、支柱の下端部に回転不能に設けてなり前記ネジ軸を螺進退移動可能に保持するナット部材とを具備してなる。そして、レベル調整を行う場合には、前記接地体を把持して前記ネジ軸を支柱側のナット部材に対して螺進退させることにより、前記接地体を上下動させて床面に接地させることによりその不陸等を吸収するようにしている。
【０００５】
【発明が解決しようとする課題】
しかしながら、このような構成のものであると、レベル調整を支柱の下端部側で屈み姿勢で行わねばならない等、調整作業が非常に行い難いものであった。また、前述した作業空間モジュールを構成するための支柱は、背が高い上、さらにパネルや収納棚等のオプション部材を支持しており、床面上に接地体を載せ置いて支持させているだけでは、安定性の面で不安が生じるものである。そのため、下端部を床面に固定することが望ましいが、このように床面に固定すると、横架材のレベル調整を行うことが難しいという問題点があった。
【０００６】
【課題を解決するための手段】
このような課題に鑑み、本発明は、起立姿勢で配置した支柱に支持される被支持体のレベル調整を行うためのアジャスタ機構であって、前記支柱と被支持体との間に介在し、前記支柱の高さ位置を一定に保持した状態で、当該支柱に対して上下動することにより前記被支持体のレベル調整を行うものであり、被支持体が、ネジ等の取付具を利用して前記支柱に取り付けられるものであり、この取付具を挿入するために前記被支持体側に設けた挿入孔が、該被支持体の上下動を許容し得る開口巾を有することを特徴としている。
【０００７】
このような構成のものであると、被支持体のレベル調整を支柱と被支持体との間に介在させたアジャスタ機構を利用して被支持体自体を上下動させることにより行うので、被支持体が支持されている付近、例えば支柱の上端部側付近でレベル調整を行うことが可能となり、従来のものに比べて、レベル調整作業を非常に行い易いものとし得る。また、支柱を床面に固定した状態でもレベル調整を行うことができ、特に、支柱が背の高いものである場合には、支柱及び被支持体の安定性を確保した状態でレベル調整を行うことが可能となる。
【０００８】
簡素にして良好な操作性を得るには、アジャスタ機構が、支柱の一部に設けたネジ孔と、このネジ孔に上下方向に螺進退可能に取り付けたネジとを具備してなり、このネジの頭部に前記被支持体を支持させていることが望ましい。
【０００９】
支柱側に特別な加工を施すことなく、また既存の支柱を利用するには、ネジ孔が、支柱に対して着脱可能に取り付けたベース体に設けてあることが望ましい。
【００１０】
調整作業が非常に行い易いものとなる特に好適な実施の形態としては、被支持体が、前記支柱の上端部側に支持されているものが挙げられる。
【００１１】
被支持体が、ネジ等の取付具を利用して前記支柱に取り付けられるものであり、この取付具を挿入するために前記被支持体側に設けた挿入孔が、該被支持体の上下動を許容し得る開口巾を有するものであるので、被支持体を支柱に取り付けた状態でレベル調整を行い得る。
【００１２】
被支持体の好適な実施の形態としては、被支持体が、複数の支柱間に略水平方向に沿って配置される横架材と該支柱とを連結するための連結部材であるものや、複数の支柱間に略水平方向に沿って配置される横架材であるものが挙げられる。
【００１３】
【発明の実施の形態】
以下、本発明の一実施の形態を、図面を参照して説明する。
【００１４】
本実施の形態では、本発明の構造体Ａを図１に示すようなオフィス内に作業空間を形成するいわゆる作業空間モジュールとして利用した場合について説明する。
【００１５】
この構造体Ａは、起立姿勢で配置される複数の支柱１と、略水平方向に延びて隣接する支柱１の上端部同士間に配置される横架材２とにより構成され、これら支柱１と横架材２とが共に拘束し合って自立性を確保している。そして、これら支柱１と横架材２とにより形成される所定空間内に机や椅子等の家具を配置するとともに、当該支柱１及び横架材２に天板や吊り棚等のオプション部材を取り付けることにより作業空間を形成している。また、この構造体Ａは、配線案内機能を有するものであり、これら支柱１及び横架材２の内部には、床面下空間或いは天井側空間内に張り巡らされた配線を引き込んで案内し得る連続した配線案内空間Ｓが設けてある。
【００１６】
以下、各部の具体的な構成について詳述する。
【００１７】
支柱１は、図２〜図４に示すように、アルミ等の剛性のある素材からなる押出成形体を所要長さで切断して構成した支柱本体１１と、この支柱本体１１に取り付けたカバー１２とからなる。支柱本体１１は、角柱状の中心体１１２と、この中心体１１２の四隅から斜め外方に向かって延出した隔壁１１１とを有してなり、隣接する隔壁１１１同士の先端間に前記カバー１２を取り付けて、前記隔壁１１１とカバー１２との間に略鉛直方向に連続した配線案内空間Ｓを形成している。この支柱１は、下端部側を適宜の手段で床面Ｆに固定され、上端部側に設けた平面視略Ｌ字形或いは平面視略Ｔ字形の連結部材３を利用して前記横架材２と連結されている。
【００１８】
このような構成のものにおいて、本実施の形態では、前記支柱１と、前記横架材２を支持している被支持体たる連結部材３との間にアジャスタ機構４を介在させ、このアジャスタ機構４により、連結部材３のレベル調整を行って、最終的に、前記横架材２の水平精度を高めるようにしている。このアジャスタ機構４は、前記支柱１の高さ位置を一定に保持した状態で、当該支柱１に対して上下動することにより前記連結部材３のレベル調整を行うものである。
【００１９】
以下、これらアジャスタ機構４、連結部材３及び横架材２について具体的に詳述する。
【００２０】
アジャスタ機構４は、図３及び図４に示すように、前記支柱１の上端部に着脱可能に取り付けられるベース体４１と、このベース体４１に設けたネジ孔４２に上下方向に螺進退可能に挿入したネジ４３とを具備している。
【００２１】
ベース体４１は、中央部に前記ネジ孔４２を有する平面視略正方形状の頂壁４１１と、この頂壁４１１の下面から垂下してなり前記支柱１の中心体１１２に設けた嵌合凹部１１２ａに嵌合する横断面略ロ字形状の垂下体４１２とを具備している。このベース体４１は、前記頂壁４１１が支柱本体１１の上端面に載せ置かれる位置まで、前記垂下体４１２を前記嵌合凹部１１２ａに上方から挿入して嵌合させることにより前記支柱１に取り付けられる。
【００２２】
ネジ４３は、前記ネジ孔４２に螺進退可能に挿入されるネジ軸４３１と、このネジ軸４３１の上端部に設けた頭部４３２とを具備してなる周知のものである。前記頭部４３２は、その上面が略水平な面部となっており、その中央部に、ドライバー等の工具を挿入するための挿入溝部４３３を有している。
【００２３】
連結部材３は、図３に示すように、前記アジャスタ機構４のネジ４３の頭部４３２に載せ置かれる連結部材本体３１と、この連結部材本体３１から略水平方向に沿って突出した突出部３２とを具備している。
【００２４】
連結部材本体３１は、平面視略正方形状の頂壁３１１と、この頂壁３１１の四辺から垂下した垂下壁３１２とを具備している。頂壁３１１は、その中央部に、アジャスタ機構４を利用して前記連結部材３を上下動させる場合に、前記ドライバー等の工具を上方から挿入するための工具挿通孔３１３を有している。また、この工具挿通孔３１３の周りには、前記配線案内空間Ｓを案内される配線を挿通するための平面視円形状の配線挿通孔３１４が複数設けてある。垂下壁３１２は、前記連結部材３を支柱１に取り付ける場合に、ネジ等の取付具５を挿入するための挿入孔たる長孔３１５を上下方向２箇所に有している。すなわち、前記連結部材３は、前記長孔３１５から挿入した取付具５を、支柱１側に取り付けたベース体４１に設けたネジ孔４１３にネジ作用を利用して嵌めることにより前記支柱１に取り付けられる。そして、前記長孔３１５は、連結部材３を支柱１に取り付けた状態でレベル調整を行い得るよう、その上下動を許容し得る上下開口巾を有するものである。
【００２５】
突出部３２は、連結部材本体３１の頂壁３１１の直交して隣接する２辺から水平方向に突出した横断面略下向コ字形状のもので、前記垂下壁３１２の上端部に溶接等の適宜の手段で取り付けてある。なお、図中符号３２１で示すものは、配線案内空間Ｓ内を案内される配線を挿通するための配線挿通孔である。そして、本実施の形態では、隣接する支柱１において互いに相寄る方向へ突出したこの突出部３２に上方から横架材２を嵌合させて取り付けるようにしている。
【００２６】
横架材２は、図２に示すように、アルミ等の剛性のある素材からなる押出成形体を所要長さで切断して構成したもので、長手方向に沿って等しい横断面を有している。この横架材２は、頂壁２１と、この頂壁２１から垂下した一対の垂下壁２２とから構成される下方側が開口した横断面略下向コ字形状のもので、これら頂壁２１及び垂下壁２２により形成される内部空間を配線を案内するための配線案内空間Ｓとしている。そして、この横架材２は、前記連結部材３の突出部３２に上方から嵌合させた後、その頂壁２１及び垂下壁２２に設けたネジ挿入孔から挿入したネジ等の取付具を前記突出部３２の対応位置に設けたネジ孔にネジ作用を利用して嵌めることにより所定位置に取り付けられる。なお、図２では省略しているが、支柱１の上端部には、連結部材３を隠蔽するカバーが取り付けられる。
【００２７】
このような構成のものにおいて、前記横架材２を水平状態に保持するべく、前記連結部材３のレベル調整を図る際の手順について図３〜図７を参照して説明する。なお、図５〜図７は、支柱１のカバー１２を省略し、横架材２を想像線で示した図となっている。通常、組立時には、前記アジャスタ機構４は、図３に示すように、ベース体４１の垂下体４１２を支柱１の嵌合凹部１１２ａに嵌合させた状態で取り付けられており、そのネジ孔４２には、ネジ４３が取り付けてある。そして、このネジ４３の頭部４３２上に、連結部材３の頂壁３１１を載せ置いた状態で、図５に示すように、前記垂下壁３１２の長孔３１５に外方から挿入した取付具５を、支柱１の中心体１１２に設けたネジ挿入孔１１２ｂを介してベース体４１の垂下体４１２に設けたネジ孔４１３にネジ作用を利用して嵌める。この時、取付具５を前記ネジ孔４１３に緩めに締めておき、連結部材３を仮保持状態としておく。そして、図６に示すように、この連結部材３の突出部３２に、横架材２を上方から嵌合させて取り付け、その水平状態を確認する。この時、床面Ｆの不陸等によりレベル調整が必要な場合には、各支柱１毎に個別に調整を行う。先ず、前記連結部材３の頂壁３１１の工具挿通孔３１３を介してドライバー等の工具Ｄを、前記ネジ４３の挿入溝部４３３に挿入する。そして、この工具Ｄを操作することにより、図７に示すように、前記ネジ４２を上下方向に螺進退させて連結部材３を上下動させる。この連結部材３の上下位置を適切な位置に決定した後、前記取付具５を前記ネジ孔４１３に強固に締結して、前記連結部材３を所定位置に固定する。
【００２８】
このような構成のものであると、連結部材３のレベル調整を支柱１と連結部材３との間に介在させたアジャスタ機構４を利用して前記連結部材３自体を上下動させることにより行うので、支柱１の上端部側付近でレベル調整を行うことが可能となり、従来のものに比べてレベル調整作業を非常に行い易いものとすることができる。また、本実施の形態のように、支柱１を床面Ｆに固定した状態でもレベル調整を行うことができ、特に、支柱１が背の高いものである場合には、支柱１及び横架材２の安定性を確保した状態でレベル調整を行うことが可能となる。
【００２９】
アジャスタ機構４が、支柱１の一部に設けたネジ孔４２と、このネジ孔４２に上下方向に螺進退可能に取り付けたネジ４３とを具備してなり、このネジ４３の頭部４３２に前記連結部材３を支持させているので、簡素にして良好な操作性が確保されることとなる。
【００３０】
ネジ孔４２が、支柱１に対して着脱可能に取り付けたベース体４１に設けてあるので、支柱１側に特別な加工を施すことなく、また既存の支柱１を利用してアジャスタ機構４を利用することが可能である。
【００３１】
連結部材３が、前記支柱１の上端部側に支持されているので、レベル調整作業を上方から行うことができ、従来のように、支柱１の下端部側で行う場合に比べてレベル調整作業が非常に行い易いものとなる。
【００３２】
連結部材３が、ネジ等の取付具５を利用して前記支柱１に取り付けられるものであり、この取付具５を挿入するために前記連結部材３側に設けた長孔３１５が、該連結部材３の上下動を許容し得る開口巾を有しているので、この連結部材３を支柱に取り付けた状態でレベル調整を円滑に行うことができる。
【００３３】
被支持体が、複数の支柱１間に略水平方向に沿って配置される横架材２と該支柱１とを連結するための連結部材３であるので、これら支柱１と横架材２とによりオフィス内に特定の作業空間を構成する作業空間モジュール等を構成する場合に、床面の不陸を吸収して前記横架材２を略水平状態で保持することが可能となる。特に、この場合、支柱１の下端部を床面等に固定することができるので、構造体Ａの安定性の向上が図られる。
【００３４】
なお、本発明における構成は、以上説明したものに限定されないのは勿論である。例えば、本実施の形態では、被支持体が、連結部材である場合について説明したが、これに限定されず、横架材や天板等であってもよいのは勿論である。さらに、被支持体も支柱の上端部に支持されるのに限定されず、中間位置などであってもよい。その他の構成も本発明の趣旨を逸脱しない範囲で種々変形が可能である。
【００３５】
【発明の効果】
本発明は、以上説明したような構成で実施され以下に記載されるような効果を奏する。
【００３６】
すなわち、本発明は、起立姿勢で配置した支柱に支持される被支持体のレベル調整を行うためのアジャスタ機構であって、前記支柱と被支持体との間に介在し、前記支柱の高さ位置を一定に保持した状態で、当該支柱に対して上下動することにより前記被支持体のレベル調整を行うものであるので、調整作業の簡略化を図ることが可能となる。特に、支柱が背の高いものである場合には、支柱を床面に固定した状態でもレベル調整を行うことができ、支柱及び被支持体の安定性を確保した状態でレベル調整を行うことが可能となる。
【００３７】
支柱の一部に設けたネジ孔と、このネジ孔に上下方向に螺進退可能に取り付けたネジとを具備してなり、このネジの頭部に前記被支持体を支持させているならば、簡素にして良好な操作性が確保されることとなる。
【００３８】
ネジ孔が、支柱に対して着脱可能に取り付けたベース体に設けてあるならば、支柱側に特別な加工を施すことなく、また既存の支柱を利用してアジャスタ機構を利用することが可能である。
【００３９】
被支持体が、前記支柱の上端部側に支持されているならば、レベル調整作業を上方から行うことができ、従来のように、支柱の下端部側で行う場合に比べて調整作業が非常に行い易いものとなる。
【００４０】
被支持体が、ネジ等の取付具を利用して前記支柱に取り付けられるものであり、この取付具を挿入するために前記被支持体側に設けた挿入孔が、該被支持体の上下動を許容し得る開口巾を有するならば、被支持体を支柱に取り付けた状態でレベル調整を円滑に行うことができる。
【００４１】
被支持体が、複数の支柱間に略水平方向に沿って配置される横架材と支柱とを連結するための連結部材や、複数の支柱間に略水平方向に沿って配置される横架材であるならば、これら支柱と横架材とによりオフィス内に特定の作業空間を構成する作業空間モジュール等を構成する場合に、床面の不陸を吸収して前記横架材を略水平状態で保持することが可能となる。特に、この場合、支柱の下端部を床面等に固定することができるので、安定性の向上化が図られる。
【図面の簡単な説明】
【図１】本発明の一実施の形態を概略的に示す全体斜視図。
【図２】同要部を示す斜視図。
【図３】同要部を示す分解斜視図。
【図４】同要部を示す分解斜視図。
【図５】同正断面図。
【図６】同正断面図。
【図７】同作用説明図。
【符号の説明】
１…支柱
２…横架材
３…連結部材
３１５…挿入孔（長孔）
４…アジャスタ機構
４１…ベース体
４２…ネジ孔
４３…ネジ
４３２…頭部
５…取付具
Ａ…構造体
【図１】
0004582924.tif 000002
【図２】
0004582924.tif 000003
【図３】
0004582924.tif 000004
【図４】
0004582924.tif 000005
【図５】
0004582924.tif 000006
【図６】
0004582924.tif 000007
【図７】
0004582924.tif 000008